(57)【要約】【課題】より好適に電解質膜がダメージを受けることを防止する燃料電池およびその製造方法を提供する。【解決手段】拡散層３０の端部３１表面と触媒層２０の端部２１表面とが密着することで層間空隙の体積をゼロとさせている。しかしながら、拡散層３０表面に対しても垂直な垂直端部側面として形成されている層間空隙よりも層間空隙の体積を少しでも小さくすることができることでも本発明の効果は達成できる。完全に、拡散層３０の端部３１表面と触媒層２０の端部２１表面とを密着させなくても、拡散層３０の端部３１の屈曲形状に沿うように塗布して層間空隙の体積を減少させればよい。【選択図】図３Ａ
2005310641.tif 000002
【特許請求の範囲】
【請求項１】
燃料電池に供給されるガスに対して触媒反応を起こさせる触媒層と、
前記触媒層が少なくとも片面表面の一部分に形成される電解質膜と、
前記触媒層表面と接触して設けられ、前記ガスを拡散させる拡散層と、
前記電解質膜の表面と対向する前記拡散層の端部付近表面が屈曲し、この屈曲した拡散層の端部付近表面の一部が前記電解質膜表面と接触する接触点を有する接触構造と、を含み、
前記屈曲した拡散層端部付近表面と、前記電解質層表面と、前記触媒層端部の表面とで囲まれる層間空隙の空間体積について、
前記触媒層端部の表面に代えて、前記電解質層表面と垂直な前記触媒層端部表面とした場合に形成される層間空隙の空間体積よりも小さくするように前記触媒層の端部形状が形成される燃料電池。
【請求項２】
請求項１に記載の燃料電池であって、
前記触媒層の端部形状は、前記屈曲した拡散層端部付近表面に沿う形状である燃料電池。
【請求項３】
請求項１または２に記載の燃料電池であって、
前記触媒層の端部形状は、前記接触点に向かってその厚さが減少するように傾斜される燃料電池。
【請求項４】
請求項１または２に記載の燃料電池であって、
前記触媒層端部の形状は、前記触媒層端部表面と前記拡散層端部付近表面とが密着し、前記層間空隙を有さない燃料電池。
【請求項５】
燃料電池に供給されるガスに対して触媒反応を起こさせる触媒層と、
前記触媒層が少なくとも片面表面の一部分に形成される電解質膜と、
前記触媒層表面と接触して設けられ、前記ガスを拡散させる拡散層と、
前記電解質膜の表面と対向する前記拡散層の端部付近表面が屈曲し、この屈曲した拡散層の端部付近表面の一部が前記電解質膜表面と接触する接触点を有する接触構造と、を含む燃料電池の製造方法であって、
前記屈曲した拡散層端部付近表面と、前記電解質層表面と、前記触媒層端部の表面とで囲まれる層間空隙の空間体積について、
前記触媒層端部の表面に代えて、前記電解質層表面と垂直な前記触媒層端部表面とした場合に形成される層間空隙の空間体積よりも小さくするように前記触媒層の端部形状が形成される燃料電池の製造方法。
【請求項６】
請求項５に記載の燃料電池の製造方法であって、
前記触媒層の端部形状は、前記屈曲した拡散層端部付近表面に沿う形状である燃料電池の製造方法。
【請求項７】
請求項５または６に記載の燃料電池の製造方法であって、
前記触媒層の端部形状は、前記接触点に向かってその厚さが減少するように傾斜される燃料電池の製造方法。
【請求項８】
請求項５から７のいずれか１つに記載の燃料電池の製造方法であって、
前記触媒層端部の形状は、前記触媒層端部表面と前記拡散層端部付近表面とが密着し、前記層間空隙を有さない燃料電池の製造方法。
【請求項９】
請求項６に記載の燃料電池の製造方法であって、
前記触媒層端部形状は、前記拡散層端部の剛性度および前記拡散層端部を押圧する押圧力に基づいて、前記拡散層端部の屈曲度を判定し、この屈曲度に応じて前記屈曲した拡散層端部付近表面に沿う形状とされる燃料電池の製造方法。
【発明の詳細な説明】
【技術分野】
【０００１】
本発明は燃料電池および燃料電池の製造方法に関する。
【背景技術】
【０００２】
燃料電池の１つである固体高分子膜型燃料電池は、固体高分子膜からなる電解質膜とこれを挟持するカーボンクロスやカーボンペーパ等の拡散層からなる膜−電極接合体（ＭＥＡ）、膜−電極接合体を挟持するセパレータとからなる燃料電池セルを複数個組み合わせた燃料電池スタックから構成されているのが通常である。この燃料電池スタックにアノードガスとしての水素ガスを供給すると共に、カソードガスとしての空気もしくは酸素ガスを供給し、各燃料電池セルにおける電解質膜を介して水素ガスと酸素ガスとを反応させ、生成水を生じさせることで発電させる。下記特許文献１には固体高分子膜型燃料電池が示される。
【０００３】
この燃料電池セルの課題として、燃料電池発電中に電解質膜がダメージを受けることで、ガスシール性が損なわれてしまうことが挙げられる。各燃料電池において、ガスシール性が損なわれるとアノードガスおよび／またはカソードガスのリーク（特にクロスリーク）が増大する。このガスリークにより、各燃料電池ではガスの有効利用ができず、発電電圧が低下してしまう。したがって、使用中に電解質膜がダメージを受けることを防止する対策が必要となる。
【０００４】
電解質膜のダメージとしては物理的ダメージと化学的ダメージが挙げられる。物理的なダメージを低減する背景技術としては、触媒層の面の平滑性の向上、電解質膜自体の物理的強度の向上、拡散層の剛性度の向上による電解質膜への面圧均一性の向上等がある。化学的ダメージを低減する背景技術としては、電解質膜の化学的安定性の向上、電解質膜を劣化させる化学的劣化物質を電解質膜から分離する分離性の向上等がある。
【０００５】
【特許文献１】特開平１０−２７００５７号公報
【発明の開示】
【発明が解決しようとする課題】
【０００６】
ところで、電解質膜表面に対して端部側面が垂直に形成される触媒層の面内方向の面積が、触媒層の表面に形成される拡散層の面内方向の面積よりも大きい場合には、触媒層がはみ出した部分で反応が起こり、電解質膜にダメージを与える場合がある。よって、このダメージを防止するためには、触媒層の面内方向の面積が、触媒層の表面に形成される拡散層の面内方向の面積を同一にし、触媒層の端面と拡散層の端面を面一に合わせる必要がある。
【０００７】
しかしながら、実際には、寸法公差を考慮した精度上の関係から触媒層の面内方向の面積が、拡散層の面内方向の面積よりも小さくなり、触媒層の端面と拡散層の端面とを面一に合わせることができない場合がある。このような場合には、拡散層がはみ出した部分は、拡散層が押圧されることにより触媒層が表面形成されていない電解質膜表面と接触する。その接触点で拡散層と電解質膜とは接合される。
【０００８】
このような構造では、接合された拡散層と触媒層が形成されていない電解質膜表面と、この電解質膜表面に対して垂直な触媒層側面との層間に空隙が生じることがある。このような層間空隙は燃料電池に様々な不具合を与える。その１つとして、層間空隙には燃料電池の発電中に生成水や加湿水の凝縮水が溜まる場合が挙げられる。このように電解質膜表面に水溜まりが生じると、この水溜まりの作用により電解質膜がダメージを受け、電解質膜の一部が消失してしまう場合がある。
【０００９】
本発明は、上記課題のうち少なくとも１つを解決することに鑑みてなされてなされたものであり、より好適に電解質膜がダメージを受けることを防止する燃料電池およびその製造方法を提供することをその目的とする。
【課題を解決するための手段】
【００１０】
本発明の燃料電池は、燃料電池に供給されるガスに対して触媒反応を起こさせる触媒層と、前記触媒層が少なくとも片面表面の一部分に形成される電解質膜と、前記触媒層表面と接触して設けられ、前記ガスを拡散させる拡散層と、前記電解質膜の表面と対向する前記拡散層の端部付近表面が屈曲し、この屈曲した拡散層の端部付近表面の一部が前記電解質膜表面と接触する接触点を有する接触構造と、を含み、前記屈曲した拡散層端部付近表面と、前記電解質層表面と、前記触媒層端部の表面とで囲まれる層間空隙の空間体積について、前記触媒層端部の表面に代えて、前記電解質層表面と垂直な前記触媒層端部表面とした場合に形成される層間空隙の空間体積よりも小さくするように前記触媒層の端部形状が形成されることを特徴とする。
【００１１】
上記燃料電池であって、前記触媒層の端部形状は、前記屈曲した拡散層端部付近表面に沿う形状であると好適である。
【００１２】
上記燃料電池であって、前記触媒層の端部形状は、前記接触点に向かってその厚さが減少するように傾斜されると好適である。
【００１３】
上記燃料電池であって、前記触媒層端部の形状は、前記触媒層端部表面と前記拡散層端部表面とが密着し、前記層間空隙を有さないと好適である。
【００１４】
本発明は、燃料電池に供給されるガスに対して触媒反応を起こさせる触媒層と、前記触媒層が少なくとも片面表面の一部分に形成される電解質膜と、前記触媒層表面と接触して設けられ、前記ガスを拡散させる拡散層と、前記電解質膜の表面と対向する前記拡散層の端部付近表面が屈曲し、この屈曲した拡散層の端部付近表面の一部が前記電解質膜表面と接触する接触点を有する接触構造と、を含む燃料電池の製造方法であって、前記屈曲した拡散層端部付近表面と、前記電解質層表面と、前記触媒層端部の表面とで囲まれる層間空隙の空間体積について、前記触媒層端部の表面に代えて、前記電解質層表面と垂直な前記触媒層端部表面とした場合に形成される層間空隙の空間体積よりも小さくするように前記触媒層の端部形状が形成されることを特徴とする。
【００１５】
上記燃料電池の製造方法であって、前記触媒層の端部形状は、前記屈曲した拡散層端部付近表面に沿う形状であると好適である。
【００１６】
上記燃料電池の製造方法であって、前記触媒層の端部形状は、前記接触点に向かってその厚さが減少するように傾斜されると好適である。
【００１７】
上記燃料電池の製造方法であって、前記触媒層端部の形状は、前記触媒層端部表面と前記拡散層端部表面とが密着し、前記層間空隙を有さないと好適である。
【００１８】
上記燃料電池の製造方法であって、前記触媒層端部形状は、前記拡散層端部の剛性度および前記拡散層端部を押圧する押圧力に基づいて、前記拡散層端部付近表面の屈曲度を判定し、この屈曲度に応じて前記屈曲した拡散層端部付近表面に沿う形状とされると好適である。
【発明の効果】
【００１９】
本発明は、より好適に電解質膜がダメージを受けることを防止する燃料電池およびその製造方法を提供することができる。
【発明を実施するための最良の形態】
【００２０】
以下、本発明の実施形態について図面に基づいて説明する。本実施形態は本発明を実施する一例であって、本発明は本実施形態に限定されるものではない。
【００２１】
図１には、本実施形態に係る燃料電池セル１００の部分断面図が示される。図２には本実施形態に係る燃料電池セル１００の上面透過図が示される（図１の燃料電池セル１００の部分断面図は、図２の燃料電池１００の一部分であるＡ−Ａ’面を線切断した切断断面図である）。
【００２２】
「燃料電池セルの構造」
燃料電池セル１００は、固体高分子膜である電解質膜１０の積層方向の両側表面に白金触媒層２０が形成されている。この両側の白金触媒層２０が表面形成された電解質膜１０を両側からアノード側とカソード側の拡散層３０が挟持している。このアノード側からカソード側へ向かって拡散層３０／白金触媒層２０／電解質膜１０／白金触媒層２０／拡散層３０の積層構造からＭＥＡ（膜−電極接合体）５０が形成される。ＭＥＡ５０は、アノード側とカソード側のセパレータ４０によって挟持され、この両側のセパレータによって押圧されている。燃料電池セル１００において、拡散層端部３１の表面が電解質膜１０表面と接触点３３で接触している。その接触点で拡散層３０と電解質膜１０表面とは接触・接合される。拡散層３０と触媒層２０は両端部（端部２１、端部３１）付近を含めて密着され、その間に層間空隙を有していない。
【００２３】
電解質膜１０には、パーフルオロスルホン酸酸系樹脂膜等を用いることができる。この電解質膜１０の片側表面に白金担持カーボン触媒とフッ素系高分子溶液と水とを混合して得たスラリーを塗布し乾燥させて白金触媒層２０を形成する。触媒は、純白金、白金合金等を用いることができる。
【００２４】
白金触媒層２０は、塗布・塗工による方法、スプレー法、インクジェット印刷法、静電印刷法等を用いて形成することができる。
【００２５】
拡散層３０は、カーボンペーパを基材として用いている。拡散層の基材は、織布（クロス）、不織布、抄紙（ペーパ）などを用いることができる。
【００２６】
セパレータ４０は、水素源からアノードガスとして水素を燃料電池セル１００に供給する水素マニホールド６０と、外気からカソードガスとして空気を燃料電池セル１００に供給する空気マニホールド７０が形成されている（図２）。セパレータ４０は、拡散層３０と接する面に複数の溝としてガス流路４２が水素マニホールド６０間、酸素マニホールド７０間に連通するように設けられている。図２ではアノードガスである水素ガスの流路を矢印で示している。
【００２７】
ガス流路４２は、水素マニホールド６０、空気マニホールド７０から燃料電池セル１００に送られるガスをそれぞれの拡散層３０へと導く。例えば、ガス流路４２は、入口から出口まで１以上折り返して延びるサーペンタイン流路であってもよいし、あるいは、入口から出口までストレートに延びるストレート流路であってもよい。セパレータ４０は、カーボン、金属、樹脂、導電性樹脂などを採用できる。図１および図２では、セパレータ４０としてカーボンセパレータを用いている。
【００２８】
セパレータ間、ＭＥＡ５０とセパレータ間は接着剤８０が塗布されることにより、接合されている。接着剤８０は膜電極複合体の周囲を取り囲んで水素ガスおよび酸素ガスの漏洩を防止するとともにアノード側とカソード側の拡散層の間の絶縁を確保している。
【００２９】
上記のように単一の燃料電池セル１００は、接着剤８０によって２対のセパレータ部材４０の間にＭＥＡ５０が接合されて構成される。この燃料電池セル１００を複数設け、燃料電池セル１００同士をさらに接着剤８０で接合し、セルモジュール化する。このセルモジュールをさらに積層してセル積層体とし、セル積層体のセル積層方向両端に、ターミナル、インシュレータ、エンドプレートを配置し、セル積層体をセル積層方向に締め付け、セル積層体の外側でセル積層方向に延びるテンションプレート、ボルト・ナットにて固定して燃料電池スタックを構成し、燃料電池としても用いるのが通常である。
【００３０】
「ＭＥＡ端部構造」
図３Ａには、図１のＭＥＡ５０の一端の端部付近の部分拡大断面図が示される。拡散層３０の端部３１は、セパレータ４０からの押圧力によって、押圧されて屈曲している。拡散層３０の端部３１は、セパレータ４０からの押圧力、拡散層の剛性（あるいは弾性率）に応じて、屈曲する形状が異なる。剛性が大きいほど変形しにくく、屈曲する屈曲度は小さくなり、また、剛性が小さいほど変形しやすく、屈曲する屈曲度は大きくなる。屈曲した拡散層３０の端部３１は、電解質膜１０表面と接触点３３で接触する接触構造をとっている。
【００３１】
白金触媒層２０の端部２１は、拡散層３０の端部３１の屈曲度等に応じて、これに沿うように端部形状を形成されている。白金触媒層２０の端部２１は、接触点３３に向かって傾斜が形成された形状とされている。白金触媒層２０の端部２１は、アノード側およびカソード側の両方において接触点３３に向かって傾斜をつけた傾斜形状とされ、拡散層３０の端部３１、触媒層２０の端部２１、電解質膜１０表面との層間には空隙を有さない密着構造となっている。
【００３２】
白金触媒層２０の端部２１の傾斜形状は、触媒層２０の塗布量を接触点３３から徐々に塗布厚を変える（増大させる）ことで形成される。この塗布厚を変化させるバランスは、拡散層３０の端部３１の屈曲度に応じて、塗布厚を変えて白金触媒層２０の端部２１の表面と、拡散層３０の端部３１の表面が密着するようにし、層間空隙を有さないようにする。このようにすることで拡散層３０の端部３１、触媒層２０の端部２１、電解質膜１０表面との層間には空隙を有さない密着構造を形成することができる。
【００３３】
「層間空隙防止態様」
次に本実施形態に係る燃料電池セル１００の水溜まり防止態様について説明する。本実施形態に係る燃料電池セル１００は、層間空隙を有さない密着構造であるので、空隙に水溜まりが生じてしまうことを防止できる。よって空隙を有した作用による電解質膜のダメージを防止できる。
【００３４】
背景技術のＭＥＡ端部構造と比較して説明する。図４にはＭＥＡ５０の一端の端部付近の断面図が示される。図４においては、同一の符号は同様の部材等を示し、説明を省略する。
【００３５】
図４では、触媒層２０の端部側面２５が、電解質膜１０表面、拡散層３０表面に対しても垂直な垂直端部側面として形成されている。一方で、拡散層３０の端部３４は、図１と同様に屈曲度を生じさせる上述の要因に応じて、屈曲した形状を有し、接触点３３で電解質膜１０表面と接合されている。
【００３６】
図４においては、この屈曲した形状を有する拡散層３０の端部３４は、触媒層２０と当接しない部分のはみ出し面部である。このように拡散層３０表面にはみ出し面部が生じてしまうのは、拡散層３０の端部側面と触媒層２０の端部側面を寸法精度上の都合等で面一にできず、拡散層３０の表面積以内に触媒層２０の表面積を抑えると、拡散層３０の表面の一部分がはみ出してしまうことによる。このはみ出し部（端部３４）がセパレータ４０に押圧されて屈曲し、接触点３３で電解質膜１０表面と接合する。
【００３７】
図４では、垂直端部側面２５と、電解質膜１０表面と拡散層３０表面とで囲まれる部分に層間空隙２６が生じてしまう。この層間空隙２６が生じることで燃料電池１００に様々な不具合が生じる。その不具合の１つとして、層間空隙２６には、燃料電池の発電中に生成水や加湿水の凝縮水が溜まる場合が挙げられる。このように電解質膜表面に水溜まりが生じると、この水溜まりの作用により電解質膜１０がダメージを受け、電解質膜の一部が消失してしまう場合がある。また、層間空隙２６を有することによる、他の問題点としてはセパレータ４０からの押圧力を電解質膜１０表面に均一に与えることができない等がある。
【００３８】
なお、本実施形態において、水溜まりの作用により電解質膜が劣化するのは以下の理由が一要因として考えられる。水が溜まっている場所には、燃料電池の触媒反応によって生じた副生成物として過酸化水素（Ｈ2Ｏ2）が安定性から存在しやすくなり、過酸化水素濃度が高まる。過酸化水素は、加湿水供給用配管から溶出して加湿水等に溶解したＭn+（例：Ｆｅ2+、Ａｌ3+）と下記化学式（１）、（２）の化学反応を生じ、電解質膜攻撃性の水酸化ラジカル（・ＯＨ）、過酸化水素ラジカル（・ＯＯＨ）を生じる。
Ｈ2Ｏ2＋Ｍn+  →・ＯＨ＋ＯＨ-＋Ｍn+1                      （１）
Ｈ2Ｏ2＋Ｍn+1  →・ＯＯＨ＋Ｈ+＋Ｍn+                      （２）
【００３９】
これらラジカルは、電解質膜中に逆拡散水とともに入り込み、電解質膜を攻撃し、電解質膜成分を溶出させることで電解質膜を劣化させることが一理由として考えられる。
【００４０】
以上から、層間空隙の体積を触媒層２０の端部側面２５が、電解質膜１０表面、拡散層３０表面に対しても垂直な垂直端部側面として形成されている層間空隙２６よりも小さくする、より好適には層間空隙の体積をゼロにすることが必要となる。
【００４１】
本実施形態では、拡散層３０の端部３１表面と触媒層２０の端部２１表面とが密着することで層間空隙の体積をゼロとさせている。しかしながら、拡散層３０表面に対しても垂直な垂直端部側面として形成されている層間空隙２６よりも層間空隙の体積を少しでも小さくすることができることでも本発明の効果は達成できる。すなわち完全に、拡散層３０の端部３１表面と触媒層２０の端部２１表面とを密着させなくても、拡散層３０の端部３１の屈曲形状に沿うように塗布して層間空隙の体積を減少させればよい。触媒層端部３１の形状を変化させて層間空隙の体積を減少させる方法は、当業者であれば設計変更可能である。
【００４２】
また、上記の本実施形態では、剛性が高いカーボンペーパを拡散層３０として用いているが、剛性が低いカーボンクロスを拡散層として用いた場合には拡散層の屈曲率はさらに大きくなり、その断面端部形状が円の一部の形状となる場合がある。
【００４３】
図３Ｂには、剛性が低いカーボンクロスを拡散層として用いた場合の拡散層３２を用いたＭＥＡ膜端部構造が示される。図３において、図１の同一の符号は同様の部材等を示し、説明を省略する。拡散層３２の端部３６は、セパレータ４０の押圧力に応じて図３Ａの拡散層３０の端部付近３１と比較して大きく屈曲し、その屈曲の程度は断面端部形状が円の一部の形状の程度までになっている。このような端部３６が大きな屈曲形状を有する場合には、触媒層２０の端部２８を、この大きな屈曲度に応じて、接触点３３から急激に塗布量を増大させるように塗布して、密着構造を形成して、層間空隙を防止してやればよい。
【００４４】
拡散層３２はセパレータからの押圧力、拡散層の剛性（あるいは弾性率）に応じて、屈曲度が異なる。当業者であればこの屈曲度に応じて触媒層端部の形状を決定し、この決定に基づいて触媒層端部２８の塗布量を決めることができる。
【図面の簡単な説明】
【００４５】
【図１】本実施形態に係る燃料電池セルの部分拡大断面図である。
【図２】本実施形態に係る燃料電池セルの上面透視図である。
【図３Ａ】本実施形態に係る燃料電池セルの膜端部付近の拡大断面図である。
【図３Ｂ】本実施形態に係る燃料電池セルの膜端部付近の拡大断面図である。
【図４】背景技術に係る燃料電池セルの膜端部付近の拡大断面図である。
【符号の説明】
【００４６】
１０  電解質膜、２０  触媒層、２１，２５，２８  触媒層端部、２６  層間空隙、３０，３２  拡散層、３１，３４，３６，  拡散層端部、３３  接触点、４０  セパレータ、４２  ガス流路、５０  ＭＥＡ、６０，７０  マニホールド、８０  接着剤、１００  燃料電池セル。
【図１】
2005310641.tif 000003
【図２】
2005310641.tif 000004
【図３Ａ】
2005310641.tif 000005
【図３Ｂ】
2005310641.tif 000006
【図４】
2005310641.tif 000007